(57)【要約】      （修正有）【課題】シャボン玉を利用して霧化液体を確実に散布することができるシャボン玉生成機能付き超音波霧化装置を提供する。【解決手段】シャボン玉生成機能付き超音波霧化装置２は、超音波霧化器１１、シャボン玉生成器１２、及び送風機１３を備える。超音波霧化器１１は、超音波を照射することにより感染予防用の薬液を霧化してミストＭ１を発生させる。シャボン玉生成器１２は、シャボン玉Ｂ１を連続的に生成するとともにシャボン玉Ｂ１の内部にミストＭ１を封入する。送風機１３の風圧によって、ミストＭ１を封入したシャボン玉Ｂ１を装置外部に送出する。【選択図】図２
2015096180.tif 000002
【特許請求の範囲】
【請求項１】
超音波により液体を霧化する超音波霧化装置において、
前記超音波を照射することにより前記液体を霧化して霧化液体を発生させる霧化液体生成手段と、
シャボン玉を連続的に生成するとともに前記シャボン玉の内部に前記霧化液体を封入するシャボン玉生成手段と、
前記シャボン玉を装置外部に送出する送出手段と
を備えたことを特徴とするシャボン玉生成機能付き超音波霧化装置。
【請求項２】
前記送出手段は送風機であり、前記シャボン玉生成手段は、前記送風機の風圧を利用して前記シャボン玉を生成することを特徴とする請求項１に記載のシャボン玉生成機能付き超音波霧化装置。
【請求項３】
前記シャボン玉生成手段は、
シャボン玉液を貯留する貯留容器と、
前記シャボン玉を生成するための複数の穴部を筒部材に貫通形成した構造を有し、前記シャボン玉液に対して前記複数の穴部が順次入出を繰り返すように、前記筒部材の一部が前記シャボン玉液に浸漬された状態で回転可能に設けられたシャボン玉生成体と
を有し、前記送風機の風圧によって、前記シャボン玉生成体において前記シャボン玉液の液面よりも上方に位置する前記穴部に対し、前記筒部材の内側から前記霧化液体を送り込むことで、前記穴部にて前記シャボン玉を膨らませるのと同時にその内部に前記霧化液体を封入する
ことを特徴とする請求項２に記載のシャボン玉生成機能付き超音波霧化装置。
【請求項４】
前記シャボン玉生成手段は、前記液体を混ぜたシャボン玉液を用いて前記シャボン玉を生成することを特徴とする請求項１乃至３のいずれか１項に記載のシャボン玉生成機能付き超音波霧化装置。
【請求項５】
超音波を液体に照射することにより前記液体を霧化して霧化液体を発生させる霧化ステップと、
風圧によりシャボン玉を連続的に生成するとともに前記シャボン玉の内部に前記霧化液体を封入する生成ステップと、
風圧により前記シャボン玉を送出し、前記シャボン玉が壊れることで前記霧化液体を散布する散布ステップと
を含むことを特徴とする超音波霧化液体散布方法。
【請求項６】
請求項１乃至４のいずれか１項に記載のシャボン玉生成機能付き超音波霧化装置と、
舞台演出を行う演出装置と
を備え、前記超音波霧化装置は、前記液体として感染予防用の薬液を霧化し、前記薬液の霧化液体を封入した前記シャボン玉を前記舞台演出に合わせて送出する
ことを特徴とする感染予防舞台演出システム。
【発明の詳細な説明】
【技術分野】
【０００１】
本発明は、超音波により液体を霧化した霧化液体を散布するシャボン玉生成機能付き超音波霧化装置、超音波霧化液体散布方法、感染予防舞台演出システムに関するものである。
【背景技術】
【０００２】
従来、超音波を用いてミスト（霧）を発生させる超音波霧化器は、室内の加湿や庭園などでミストを発生させる加湿装置や舞台等での演出装置などに利用されている。また、超音波霧化器以外にも、高圧水を細長いノズルから噴射することでミストを発生させる霧化器（例えば、特許文献１等参照）も実用化されている。
【０００３】
特許文献１に開示されている環境創造装置では、霧化器を用い、環境に適した香料をミスト（霧）にして浮遊させる技術が開示されている。さらに、特許文献１の環境創造装置では、霧化器とは別にシャボン玉生成器を用い、環境に適した香料をシャボン玉にして浮遊させる技術も開示されている。
【０００４】
ところで、本発明者らは、超音波霧化器を利用して、例えば、舞台の演出とともに感染予防を行う装置を検討している。一般に、保育園や幼稚園、小学校でのお遊戯会や学芸会は、インフルエンザや風邪が広まる秋から冬にかけて開催されることが多い。また、お遊戯会や学芸会の来場者には、マスク着用を促す案内が事前に通知されるが、それだけではインフルエンザや風邪の予防には不十分である。特に、演技中の園児や児童はマスクを着用していないため、予防ができないといった問題があった。この対策として、超音波霧化器を用いて感染予防用の薬液を霧化してその薬液のミストを散布すると、感染予防の効果に加え、ミスト散布による演出効果を得ることが可能となる。
【先行技術文献】
【特許文献】
【０００５】
【特許文献１】特許第２６７６２４７号公報
【発明の概要】
【発明が解決しようとする課題】
【０００６】
ところが、超音波霧化器を用いて薬液を霧化する場合、舞台や演劇場の規模が大きくなると、薬液のミストを室内全体に効率よく散布することができないといった問題があった。特に、超音波霧化器で発生させるミストは粒径が数μｍ程度であるため、強い風を利用してミストを散布すると、遠方に届く前にミストが気化してしまう。このため、大きな室内全体で感染予防の効果を得るためには、複数の超音波霧化器を所定の間隔をあけて設置する必要があり、装置コストが嵩んでしまう。
【０００７】
また、特許文献１の環境創造装置のように、ミストに代えてシャボン玉を用いる場合、比較的遠くの場所までシャボン玉を飛ばすことができるが、シャボン玉自体に含ませることが可能な薬液は僅かであり、シャボン玉を散布するだけでは十分な予防効果を得ることができない。
【０００８】
因みに、特許文献１には、シャボン玉生成器と霧化器とを組み合わせた装置は開示されていない。特許文献１の霧化器のように高圧水を利用して霧化する場合には、ミストの粒径は比較的大きくなり、かつ発生したミストの流速も速くなるため、シャボン玉生成器と霧化器とを併用する場合、そのミストがシャボン玉に当たると、シャボン玉が割れてしまう。このため、それらの距離を離して配置する必要があり、ミスト（霧）とシャボン玉とを用いて感染予防を効率よく行うことは困難であった。
【０００９】
上記では感染予防を行う場合を一例として説明したが消臭、芳香、加湿などの他の処理を行う場合でも、それら処理を行う室内空間が大きくなると、上記感染予防の場合と同様の問題が生じる。
【００１０】
本発明は上記の課題に鑑みてなされたものであり、その目的は、シャボン玉を利用して、霧化液体を確実に散布することができるシャボン玉生成機能付き超音波霧化装置及び超音波霧化液体散布方法を提供することにある。また、別の目的は、シャボン玉が浮遊することによる演出効果を得ることができるとともに、霧化液体を散布することによる感染予防の効果を得ることができる感染予防舞台演出システムを提供することにある。
【課題を解決するための手段】
【００１１】
上記課題を解決するために、請求項１に記載の発明は、超音波により液体を霧化する超音波霧化装置において、前記超音波を照射することにより前記液体を霧化して霧化液体を発生させる霧化液体生成手段と、シャボン玉を連続的に生成するとともに前記シャボン玉の内部に前記霧化液体を封入するシャボン玉生成手段と、前記シャボン玉を装置外部に送出する送出手段とを備えたことを特徴とするシャボン玉生成機能付き超音波霧化装置をその要旨とする。
【００１２】
請求項１に記載の発明によると、霧化液体生成手段が超音波を液体に照射することにより霧化液体が発生される。そして、シャボン玉生成手段により、霧化液体を封入したシャボン玉が連続的に生成される。これらシャボン玉は表面積が大きく軽いため、送出手段によって各シャボン玉を装置外部に確実に送出することができる。またこの場合、霧化液体はシャボン玉によって保護されるため、霧化液体が気化することなく、比較的遠くの位置まで霧化液体を運ぶことができる。そして、各シャボン玉が壊れることで内部に封入していた霧化液体が散布される。このように、本発明のシャボン玉生成機能付き超音波霧化装置を用いると、連続的に生成した複数のシャボン玉を利用して、霧化液体を効率よく確実に散布することができる。
【００１３】
請求項２に記載の発明は、請求項１において、前記送出手段は送風機であり、前記シャボン玉生成手段は、前記送風機の風圧を利用して前記シャボン玉を生成することをその要旨とする。
【００１４】
請求項２に記載の発明によると、送風機の風圧によってシャボン玉を生成し、シャボン玉を遠くまで飛ばすことができ、霧化液体を効率よく散布することができる。また、シャボン玉を生成するための送風機とシャボン玉を送出するための送風機とを別々に設ける必要がなく、装置コストを低く抑えることができる。
【００１５】
請求項３に記載の発明は、請求項２において、前記シャボン玉生成手段は、シャボン玉液を貯留する貯留容器と、前記シャボン玉を生成するための複数の穴部を筒部材に貫通形成した構造を有し、前記シャボン玉液に対して前記複数の穴部が順次入出を繰り返すように、前記筒部材の一部が前記シャボン玉液に浸漬された状態で回転可能に設けられたシャボン玉生成体とを有し、前記送風機の風圧によって、前記シャボン玉生成体において前記シャボン玉液の液面よりも上方に位置する前記穴部に対し、前記筒部材の内側から前記霧化液体を送り込むことで、前記穴部にて前記シャボン玉を膨らませるのと同時にその内部に前記霧化液体を封入することをその要旨とする。
【００１６】
請求項３に記載の発明によると、シャボン玉生成手段において、シャボン玉生成体が回転することにより、筒部材に貫通形成された複数の穴部が貯留容器のシャボン玉液に対して順次入ったり出たりする。このように、シャボン玉液中に各穴部が一時的に浸漬されることにより、シャボン玉液の液膜が各穴部を塞ぐように形成される。そして、送風機の風圧によって、液面よりも上方に位置する穴部に対し、筒部材の内側から霧化液体が送り込まれることで、各穴部にてシャボン玉が膨らみ、ある程度大きくなるとシャボン玉がシャボン玉生成体から切り離される。この結果、内部に霧化液体を封入した複数のシャボン玉が順次生成され、それらシャボン玉が風圧によって装置外部に送出されていく。このようにすると、霧化液体を封入したシャボン玉を連続的に生成することができ、送風機の風圧によって各シャボン玉を送り出すことで霧化液体を効率よく散布することができる。
【００１７】
請求項４に記載の発明は、請求項１乃至３のいずれか１項において、前記シャボン玉生成手段は、前記液体を混ぜたシャボン玉液を用いて前記シャボン玉を生成することをその要旨とする。
【００１８】
請求項４に記載の発明によると、霧化液体に加えてシャボン玉自体にも液体を含ませることができるため、液体の散布量を増やすことができる。
【００１９】
請求項５に記載の発明は、超音波を液体に照射することにより前記液体を霧化して霧化液体を発生させる霧化ステップと、風圧によりシャボン玉を連続的に生成するとともに前記シャボン玉の内部に前記霧化液体を封入する生成ステップと、風圧により前記シャボン玉を送出し、前記シャボン玉が壊れることで前記霧化液体を散布する散布ステップとを含むことを特徴とする超音波霧化液体散布方法をその要旨とする。
【００２０】
請求項５に記載の発明によると、霧化ステップにおいて、超音波を液体に照射することによって霧化液体が発生される。また、生成ステップにおいて、風圧によりシャボン玉が連続的に生成されるとともにシャボン玉の内部に霧化液体が封入される。そして、散布ステップでは、霧化液体を封入したシャボン玉が風圧によって送出される。このようにすると、シャボン玉は表面積が大きく軽いため、風圧によって装置外部に確実に送出することができる。また、霧化液体はシャボン玉によって保護されるため、霧化液体が蒸発することなく比較的遠くまで霧化液体を運ぶことができる。その後、各シャボン玉が壊れることで内部に封入していた霧化液体を確実に散布することができる。
【００２１】
請求項６に記載の発明は、請求項１乃至４のいずれか１項に記載のシャボン玉生成機能付き超音波霧化装置と、舞台演出を行う演出装置とを備え、前記超音波霧化装置は、前記液体として感染予防用の薬液を霧化し、前記薬液の霧化液体を封入した前記シャボン玉を前記舞台演出に合わせて送出することを特徴とする感染予防舞台演出システムをその要旨とする。
【００２２】
請求項６に記載の発明によると、演出装置による舞台演出が行われる際に、シャボン玉生成機能付き超音波霧化装置によって、感染予防用の薬液の霧化液体がシャボン玉に封入され、そのシャボン玉が舞台演出に合わせて送出される。この場合、シャボン玉が浮遊することによる演出効果を得ることができるとともに、感染予防の効果を得ることができる。
【発明の効果】
【００２３】
以上詳述したように、請求項１〜５に記載の発明によると、シャボン玉を利用して、霧化液体を確実に散布することができる。また、請求項６に記載の発明によると、シャボン玉が浮遊することによる演出効果を得ることができるとともに、霧化液体を散布することによる感染予防の効果を得ることができる。
【図面の簡単な説明】
【００２４】
【図１】第１の実施の形態の感染予防舞台演出システムを示す説明図。
【図２】第１の実施の形態のシャボン玉生成機能付き超音波霧化装置を示す概略構成図。
【図３】第１の実施の形態の超音波霧化器を示す断面図。
【図４】第１の実施の形態のシャボン玉生成器を示す概略構成図。
【図５】第１の実施の形態のシャボン玉生成体を示す斜視図。
【図６】第２の実施の形態のシャボン玉生成器を示す概略構成図。
【図７】第２の実施の形態のシャボン玉生成体を示す斜視図。
【図８】第３の実施の形態のシャボン玉生成機能付き超音波霧化装置を示す概略構成図。
【図９】第３の実施の形態の超音波霧化器及びシャボン玉生成器を示す斜視図。
【図１０】第３の実施の形態の超音波霧化器及びシャボン玉生成器を示す断面図。
【発明を実施するための形態】
【００２５】
［第１の実施の形態］
以下、本発明を具体化した第１の実施の形態を図面に基づき詳細に説明する。図１は、本実施の形態における感染予防舞台演出システムを示し、図２は、その舞台演出システムに用いられるシャボン玉生成機能付き超音波霧化装置を示している。
【００２６】
図１に示されるように、感染予防舞台演出システム１は、シャボン玉生成機能付き超音波霧化装置２と、演出装置３と、制御装置４とを備え、演劇を行う舞台５の近傍に設置される。制御装置４は、周知の中央処理装置（ＣＰＵ）やメモリなどを含んで構成されている。制御装置４は、超音波霧化装置２や演出装置３と電気的に接続されており、各装置２，３に制御信号を出力することによりシステム全体を統括的に制御する。
【００２７】
演出装置３は、舞台演出を行うために音（音声や音楽など）を出力するスピーカを含み、舞台５前方の両サイドに設けられている。なお、演出装置３としては、スピーカ以外に、複数色の光を発する照明機器（図示略）を含んでいてもよい。また、超音波霧化装置２は、演出装置３の音響スピーカから前方に若干離れた位置であって舞台５の両サイドに設けられており、舞台演出に加えてインフルエンザや風邪などの感染予防を行うために用いられる。
【００２８】
図２に示されるように、本実施の形態の超音波霧化装置２は、霧化液体生成手段としての超音波霧化器１１、シャボン玉生成手段としてのシャボン玉生成器１２、及び送出手段としての送風機１３を備える。図３に示されるように、超音波霧化器１１は、感染予防用の薬液Ｗ１（具体的には、次亜塩素酸系薬剤）が貯留される容器２１、容器２１の底部外面に設置される超音波振動子２２、及び超音波振動子２２と電気的に接続される超音波発生器２３等により構成される。超音波霧化器１１において、超音波発生器２３から駆動信号が出力され、その駆動信号によって超音波振動子２２が駆動される。このとき、比較的に高い周波数（例えば、２．４ＭＨｚ）の超音波が超音波振動子２２から薬液Ｗ１中に照射される。この超音波の照射エネルギーを薬液Ｗ１の液面に集中させて液滴を飛散させることによって、薬液Ｗ１が霧化される。この結果、超音波霧化器１１において、粒径が３μｍ程度のミストＭ１（霧化液体）が発生する。そして、超音波霧化器１１で発生させたミストＭ１は、送風機１３の風圧によりシャボン玉生成器１２に送られるようになっている。
【００２９】
図２及び図４に示されるように、シャボン玉生成器１２は、貯留容器２５、シャボン玉生成体２６、及び回転駆動装置２７等を備える。貯留容器２５は、界面活性剤や増粘剤を含むシャボン玉液Ｗ２を貯留する。図４及び図５に示されるように、シャボン玉生成体２６は、シャボン玉Ｂ１を生成するための複数の穴部２８を筒部材２９に貫通形成した構造を有し、その筒部材２９の一部がシャボン玉液Ｗ２に浸漬された状態で回転可能に設けられている。
【００３０】
具体的には、シャボン玉生成体２６を構成する筒部材２９は、先端部が閉塞された中空円筒状に形成された部材であり、その外周面に複数の穴部２８が形成されている。そして、シャボン玉生成体２６は、その軸方向が水平方向と一致するように倒された状態で筒部材２９の下側の一部がシャボン玉液Ｗ２に浸漬されている。また、筒部材２９の先端部の中心には回転軸３０が接続されており、その回転軸３０は貯留容器２５の側壁部に回転可能に支持されている。本実施の形態では、回転駆動装置２７は電動モータやギヤなどからなり、その回転駆動装置２７により回転軸３０を介してシャボン玉生成体２６が回転される。この構成により、シャボン玉液Ｗ２に対してシャボン玉生成体２６の複数の穴部２８が順次入出を繰り返すようになっている。
【００３１】
図５に示されるように、シャボン玉生成体２６の回転により、シャボン玉液Ｗ２の液面よりも上方に位置する各穴部２８には、それら穴部２８を塞ぐようにシャボン玉液Ｗ２の液膜Ｂ０が形成される。また、シャボン玉生成器１２では、送風機１３の風圧によって、シャボン玉液Ｗ２の液面よりも上方に位置する各穴部２８に対し、筒部材２９の内側からミストＭ１が送り込まれるようになっている。この送風機１３の風圧によって、各穴部２８にてシャボン玉Ｂ１を膨らませるのと同時に、内部にミストＭ１を封入したシャボン玉Ｂ１が生成される。
【００３２】
図１及び図２に示されるように、超音波霧化装置２には排出ダクト１５が設けられており、送風機１３の風圧によって、排出ダクト１５を通じて複数のシャボン玉Ｂ１が装置外部に送出される。本実施の形態の感染予防舞台演出システム１では、観客席６に向けてシャボン玉Ｂ１が送出されるように排出ダクト１５の向きが調整された状態で超音波霧化装置２が設置されている。さらに、超音波霧化装置２後方の演出装置３のスピーカも、観客席に向けて音が出力されるように配置されている。つまり、シャボン玉Ｂ１の送出方向と音の出力方向とを合わせた状態で超音波霧化装置２と演出装置３とが配置されている。
【００３３】
次に、本実施の形態の感染予防舞台演出システム１の動作例について説明する。
【００３４】
先ず、制御装置４は、制御信号を出力することにより、舞台演技の開始前に超音波霧化装置２を作動させる。このとき、超音波霧化器１１において超音波振動子２２が駆動することで超音波を薬液Ｗ１中に出力し、薬液Ｗ１のミストＭ１を発生させる（霧化ステップ）。これと同時に、送風機１３が駆動され、超音波霧化器１１で発生させたミストＭ１をシャボン玉生成器１２に供給する。
【００３５】
シャボン玉生成器１２では、回転駆動装置２７が駆動されてシャボン玉生成体２６が回転する。このシャボン玉生成体２６の回転によって、貯留容器２５のシャボン玉液Ｗ２中に複数の穴部２８が一時的に浸漬された後、各穴部２８がシャボン玉液Ｗ２の液面よりも上方に順次出ていく。そして、シャボン玉液Ｗ２の液面よりも上方に位置する各穴部２８には、それら穴部２８を塞ぐようにシャボン玉液Ｗ２の液膜Ｂ０が形成される。
【００３６】
さらに、シャボン玉液Ｗ２の液面よりも上方に位置する各穴部２８に、送風機１３の風圧によって筒部材２９の内側からミストＭ１が送り込まれる。このとき、各穴部２８にてシャボン玉Ｂ１が膨らみ、ある程度大きくなるとシャボン玉Ｂ１がシャボン玉生成体２６から切り離される。この結果、内部に薬液Ｗ１のミストＭ１を封入した複数のシャボン玉Ｂ１が順次生成される（生成ステップ）。そして、送風機１３の風圧によって、それらシャボン玉Ｂ１が排出ダクト１５に導かれその排出ダクト１５から装置外部に送出されていく。シャボン玉Ｂ１は、舞台５前方に設けられている観客席６まで浮遊して運ばれる。その後、観客席６の近傍において、各シャボン玉Ｂ１が順次壊れることで薬液Ｗ１のミストＭ１が散布される（散布ステップ）。この結果、ミストＭ１によって観客席６における感染予防（殺菌や防菌）が行われる。
【００３７】
また、本実施の形態の感染予防舞台演出システム１では、舞台演技の開始後に超音波霧化装置２が一旦停止される。その後、制御手段４は、制御信号を出力することにより、演出装置３が駆動されて舞台演出が行われる。さらに、この舞台演出として、例えば演出装置３のスピーカから音が出力されるタイミングや照明機器の点灯タイミングに合わせて、超音波霧化装置２が駆動される。これにより、シャボン玉Ｂ１やミストＭ１の散布によって演出効果が得られるとともに、インフルエンザや風邪などの感染予防の効果が得られる。
【００３８】
従って、本実施の形態によれば以下の効果を得ることができる。
【００３９】
（１）本実施の形態の超音波霧化装置２では、超音波霧化器１１によって薬液Ｗ１が霧化されることでミストＭ１が発生され、シャボン玉生成器１２によってミストＭ１を封入したシャボン玉Ｂ１が連続的に生成される。これらシャボン玉Ｂ１は表面積が大きく軽いため、送風機１３の風圧によって各シャボン玉Ｂ１を装置外部に確実に送出することができる。またこの場合、薬液Ｗ１のミストＭ１はシャボン玉Ｂ１によって保護されるため、ミストＭ１が気化することなく、比較的遠くの位置までミストＭ１を運ぶことができる。そして、各シャボン玉Ｂ１が壊れることで内部に封入していたミストＭ１が散布される。このように、本実施の形態の超音波霧化装置２を用いると、連続的に生成した複数のシャボン玉Ｂ１を利用して、薬液Ｗ１のミストＭ１を効率よく確実に散布することができる。
【００４０】
（２）本実施の形態の超音波霧化装置２では、シャボン玉生成器１２において送風機１３の風圧を利用してシャボン玉Ｂ１を生成するとともに、送風機１３の風圧によってシャボン玉Ｂ１を装置外部に送出するように構成している。このようにすると、送風機１３の風圧によってシャボン玉Ｂ１を遠くまで飛ばすことができ、ミストＭ１を効率よく散布することができる。また、シャボン玉Ｂ１を生成するための送風機とシャボン玉Ｂ１を送出するための送風機とを別々に設ける必要がなく、装置コストを低く抑えることができる。
【００４１】
（３）本実施の形態では、シャボン玉生成器１２において、複数の穴部２８が貫通形成された筒部材２９からなるシャボン玉生成体２６を回転させることで、ミストＭ１を封入した複数のシャボン玉Ｂ１を連続的に生成することができる。そして、それらシャボン玉Ｂ１を装置外部に送出することにより、薬液Ｗ１を効率よく確実に散布することができる。
【００４２】
（４）本実施の形態の感染予防舞台演出システム１では、演出装置３のスピーカや照明機器を用いて舞台演出が行われる。その際に、超音波霧化装置２により、感染予防用の薬液Ｗ１のミストＭ１がシャボン玉Ｂ１に封入され、そのシャボン玉Ｂ１が舞台演出に合わせて送出される。この場合、シャボン玉Ｂ１が浮遊することによる演出効果を得ることができるとともに、感染予防の効果も得ることができる。
【００４３】
（５）本実施の形態の感染予防舞台演出システム１では、シャボン玉Ｂ１の送出方向と音の出力方向とを観客席６の方向に合わせた状態で超音波霧化装置２と演出装置３のスピーカとが配置されている。この場合、送風機１３の風圧に加えてスピーカの音圧を利用してシャボン玉Ｂ１を観客席６に送出することができるため、薬液Ｗ１のミストＭ１を確実に散布することができる。
［第２の実施の形態］
【００４４】
次に、本発明を具体化した第２の実施の形態を図６及び図７に基づき説明する。図６及び図７に示されるように、本実施の形態では、シャボン玉生成器１２Ａの構成が上記第１の実施の形態と異なる。超音波霧化装置２を構成する他の構成（超音波霧化器１１及び送風機１３等の構成）は、上記第１の実施の形態と同じである。以下、本実施の形態におけるシャボン玉生成器１２Ａの構成について詳述する。
【００４５】
図６に示されるように、シャボン玉生成器１２Ａは、貯留容器２５とシャボン玉生成体２６Ａとを備える。貯留容器２５は、界面活性剤や増粘剤を含むシャボン玉液Ｗ２を貯留する。図６及び図７に示されるように、シャボン玉生成体２６Ａは、板状部材であって、送風機１３の風圧により回転力が得られるように形成された複数の羽根部３１を有する。各羽根部３１のそれぞれにシャボン玉Ｂ１を生成するための複数の穴部３２が貫通形成されている。そして、シャボン玉生成体２６は、貯留容器２５のシャボン玉液Ｗ２に対して各羽根部３１（複数の穴部３２）が順次入出を繰り返すように、その一部がシャボン玉液Ｗ２に浸漬された状態で回転可能に設けられている。
【００４６】
具体的には、シャボン玉生成体２６Ａの中心には回転軸３３が設けられ、シャボン玉生成体２６Ａの回転軸３３は、貯留容器２５の側壁部または底部から伸びる支柱（図示略）によって回転可能に支持される。また、貯留容器２５には、シャボン玉生成体２６Ａの下側半分が浸漬されるようにシャボン玉液Ｗ２が貯留されている。そして、図７に示されるように、シャボン玉生成体２６Ａの回転により、シャボン玉液Ｗ２の液面よりも上方に位置する各羽根部３１の各穴部３２には、それら穴部３２を塞ぐようにシャボン玉液Ｗ２の液膜Ｂ０が形成される。また、シャボン玉生成器１２Ａでは、送風機１３の風圧によって、シャボン玉液Ｗ２の液面よりも上方に位置する各羽根部３１の各穴部３２にミストＭ１が送り込まれるようになっている。この送風機１３の風圧によって、各羽根部３１の穴部３２にてシャボン玉Ｂ１を膨らませるのと同時に、内部にミストＭ１を封入したシャボン玉Ｂ１が生成される。
【００４７】
本実施の形態のようにシャボン玉生成器１２Ａを構成した場合でも、ミストＭ１を封入した複数のシャボン玉Ｂ１を連続的に生成することができる。そして、それらシャボン玉Ｂ１を装置外部に送出することにより、薬液Ｗ１を効率よく確実に散布することができる。
［第３の実施の形態］
【００４８】
次に、本発明を具体化した第３の実施の形態を図８〜図１０に基づき説明する。
【００４９】
図８に示されるように、本実施の形態のシャボン玉生成機能付き超音波霧化装置２Ａは、上記第１の実施の形態と同様に、超音波霧化器１１、シャボン玉生成器１２Ｂ、及び送風機１３を備える。図８〜図１０に示されるように、本実施の形態の超音波霧化装置２Ａは、超音波霧化器１１の上方にシャボン玉生成器１２Ｂが配置されている点が上記第１の実施の形態と異なる。なお、超音波霧化器１１及び送風機１３の構成は、第１の実施の形態の超音波霧化装置２と同じである。以下、本実施の形態におけるシャボン玉生成器１２Ｂの構成について詳述する。
【００５０】
図９及び図１０に示されるように、シャボン玉生成器１２Ｂは、シャボン玉液Ｗ２を貯留する貯留容器３５と、貯留容器３５の底板から上方に向けて立設される複数の中空筒状部材３６とを備えている。各中空筒状部材３６は、シャボン玉Ｂ１を生成するための開口３７を先端部に有し、それら先端部がシャボン玉液Ｗ２の液面よりも上方に突出した状態で設けられている。また、各中空筒状部材３６の外壁面３８には、シャボン玉液Ｗ２の浸透性を有する繊維状の材料が形成されている。シャボン玉生成器１２Ｂでは、繊維状の材料における毛細管現象を利用して、中空筒状部材３６の外壁面３８に沿って貯留容器３５のシャボン玉液Ｗ２を上方に吸い上げ、その先端部の開口３７にシャボン玉液Ｗ２を供給するように構成されている。
【００５１】
中空筒状部材３６の基端側は、貯留容器３５の底板（本実施の形態では、超音波霧化器１１の天板を兼ねる部材）を貫通し、その内側に形成される通路が超音波霧化器１１における容器２１の内部空間に連通している。超音波霧化器１１が駆動すると、その容器２１の内部空間に薬液Ｗ１のミストＭ１が充満する。また、容器２１の内部空間には、送風機１３から空気Ａ１が導入されるようになっている。
【００５２】
そして、送風機１３から空気Ａ１が導入されると、その圧力によって超音波霧化器１１内のミストＭ１が各中空筒状部材３６（内側の通路）に送り込まれる。この結果、各中空筒状部材３６の開口３７にてシャボン玉Ｂ１を膨らませるのと同時に、内部にミストＭ１を封入したシャボン玉Ｂ１が生成される。具体的には、各中空筒状部材３６の先端部の開口３７において、風圧によりシャボン玉液Ｗ２の液膜が複数個所から引き伸ばされて開口３７を塞ぐように液膜が連結される。その後、シャボン玉Ｂ１が膨らみ、ある程度大きくなるとシャボン玉Ｂ１が各中空筒状部材３６の先端部から切り離される。この結果、内部に薬液Ｗ１のミストＭ１を封入した複数のシャボン玉Ｂ１が順次生成される。
【００５３】
このように、本実施の形態のシャボン玉生成器１２Ｂを構成した場合でも、薬液Ｗ１のミストＭ１を封入した複数のシャボン玉Ｂ１が生成される。そして、図８に示されるように、各シャボン玉Ｂ１は、送風機１３の風圧によって超音波霧化装置２Ａの排出ダクト１５Ａを通じて装置外部に送出される。
【００５４】
従って、本実施の形態の超音波霧化装置２Ａでも、上記第１の実施の形態と同様に、ミストＭ１を封入したシャボン玉Ｂ１を連続的に送出することができる。また、シャボン玉生成器１２Ｂにはシャボン玉Ｂ１を生成するための中空筒状部材３６が複数設けられているので、各中空筒状部材３６によってより多くのシャボン玉Ｂ１を生成することができる。従って、各シャボン玉Ｂ１を浮遊させることによる演出効果が得られることに加えて、薬液Ｗ１のミストＭ１の散布量を十分に確保することができ、感染予防を確実に行うことができる。
【００５５】
なお、本発明の各実施の形態は以下のように変更してもよい。
【００５６】
・上記第２の実施の形態のシャボン玉生成器１２Ａでは、送風機１３の風圧によってシャボン玉生成体２６Ａを回転させるものであったが、これに限定されるものではない。第１の実施の形態のシャボン玉生成器１２と同様の回転駆動装置２７を用いてシャボン玉生成体２６Ａを回転させるように構成してもよい。この場合、回転駆動装置２７を停止させてシャボン玉生成体２６Ａの回転を止めると、シャボン玉生成体２６Ａの各穴部２８に液膜Ｂ０が形成されなくなるため、シャボン玉Ｂ１の生成が停止される。この停止時に、超音波霧化器１１及び送風機１３を駆動してミストＭ１を排出ダクト１５から噴霧するように超音波霧化装置２を構成してもよい。また、第２の実施の形態のシャボン玉生成器１２Ａにおいて、風圧によって回転するシャボン玉生成体２６Ａを強制的に止めるロック機構を設けてもよい。この場合でも、このロック機構によってシャボン玉Ｂ１の生成を停止させたときに、超音波霧化器１１及び送風機１３を駆動してミストＭ１を噴霧するように超音波霧化装置２を構成してもよい。このように超音波霧化装置２を構成すると、超音波霧化装置２から比較的遠い位置にはシャボン玉Ｂ１を利用してミストＭ１を散布することができる。一方、比較的近い位置にはシャボン玉Ｂ１の生成を停止させた状態でミストＭ１を直接噴霧することで、ミストＭ１を効率よく散布することができる。
【００５７】
・上記第２の実施の形態のシャボン玉生成器１２Ａにおいて、シャボン玉生成体２６Ａは、複数の羽根部３１を有する板状部材であったが、この形状に限定されるものではない。例えば、円形状や四角形状の板状部材からなるシャボン玉生成体を用いてもよい。なお、このシャボン玉生成体においても、上記第２の実施の形態と同様に、複数の穴部３２を形成する。そして、回転駆動装置２７などを用い、シャボン玉液Ｗ２に対して複数の穴部３２が順次入ったり出たりするように、その一部がシャボン玉液Ｗ２に浸漬された状態で回転可能にシャボン玉生成体を設ける。このようにしても、ミストＭ１を封入したシャボン玉Ｂ１を連続的に生成することができるため、ミストＭ１を効率よく散布することができる。
【００５８】
・上記各実施の形態のシャボン玉生成機能付き超音波霧化装置２，２Ａでは、超音波霧化器１１と送風機１３とが別々に設けられていたがこれに限定されるものではなく、超音波霧化器１１と送風機１３とが一体的に構成された市販の超音波霧化装置を用いてもよい。この場合、市販の超音波霧化装置における噴霧口に対して着脱可能にシャボン玉生成器を設けることでシャボン玉生成機能付き超音波霧化装置を構成してもよい。このように超音波霧化装置を構成すると、その装置コストを低く抑えることが可能となる。
【００５９】
・上記各実施の形態のシャボン玉生成機能付き超音波霧化装置２，２Ａでは、界面活性剤や増粘剤を含むシャボン玉液Ｗ２を用いてシャボン玉Ｂ１を生成していたが、ミストＭ１を形成する薬液Ｗ１（例えば、次亜塩素酸系薬剤）を含ませたシャボン玉液を用いてシャボン玉Ｂ１を生成してもよい。このようにすると、ミストＭ１に加えてシャボン玉Ｂ１に薬液Ｗ１を含ませることができるため、薬液Ｗ１の散布量を増やすことができ、感染予防の効果を高めることができる。
【００６０】
・上記各実施の形態のシャボン玉生成機能付き超音波霧化装置２，２Ａにおいて、プラスまたはマイナスの極性に帯電させた状態でシャボン玉Ｂ１を生成する機能を有するシャボン玉生成器や、シャボン玉Ｂ１と同じ極性に帯電させた帯電霧化液体を発生させる機能を有する超音波霧化器を用いてもよい。この場合、例えば、超音波霧化器では、超音波の照射エネルギーが集中する液面近傍に高電圧を印加した状態で帯電ミストを発生させる。また、シャボン玉生成器では、シャボン玉生成体２６，２６Ａにおける穴部２８，３２の周囲や中空筒状部材３６の開口３７を導電性材料を用いて形成し、穴部２８，３２や開口３７に高電圧を印加した状態でシャボン玉Ｂ１を生成する。このような超音波霧化器やシャボン玉生成器を用いて、ミストＭ１及びシャボン玉Ｂ１を同じ極性に帯電させると、静電気力によってそれが反発する。このため、シャボン玉Ｂ１に接触しない状態でその内部にミストＭ１を封入させることが可能となる。ここで、薬液Ｗ１の種類によっては、シャボン玉液Ｗ２の成分と反応する成分がミストＭ１に含まれる場合があるが、上記のようにミストＭ１及びシャボン玉Ｂ１を同じ極性に帯電させることで、それら成分が反応することを回避することができ、薬液Ｗ１の効果を確実に得ることができる。
【００６１】
さらに、感染予防舞台演出システム１において、上記帯電ミストやシャボン玉とは逆極性に帯電され、舞台演出の装飾の一部として設置される目標物をさらに備えていてもよい。またこの場合、送風機１３によって目標物に向けてシャボン玉Ｂ１が送出されるように超音波霧化装置を設置する。このようにすると、静電気力を利用して目標物にシャボン玉Ｂ１を確実に接触させ、その位置でシャボン玉Ｂ１を壊すことができる。従って、観客席６の近傍に目標物を設置することにより、薬液Ｗ１の散布を効率よく行うことができる。
【００６２】
さらには、秋や冬などでは、身に着ける服装によって人が静電気を帯びる場合もある。従って、上記のようにシャボン玉Ｂ１を帯電させる場合、その静電気を利用して、観客に引き寄せられるようにシャボン玉Ｂ１を浮遊させたり、観客から離れるようにシャボン玉Ｂ１を浮遊させたりすることも可能となる。このため、シャボン玉Ｂ１による演出効果やミストＭ１による予防効果をより高めることが可能となる。
【００６３】
・上記各実施の形態のシャボン玉生成機能付き超音波霧化装置２，２Ａは、感染予防用の薬液Ｗ１のミストＭ１を散布することで感染予防を行うものであったが、これ以外に、消臭、芳香、加湿などの他の用途に超音波霧化装置２，２Ａを用いてもよい。具体的には、シャボン玉生成機能付き超音波霧化装置２，２Ａを用いて消臭を行う場合には、超音波霧化器１１によって消臭液を霧化し、シャボン玉生成器１２，１２Ａにより消臭液のミストＭ１を封入したシャボン玉Ｂ１を生成した後、そのシャボン玉Ｂ１を散布する。また、シャボン玉生成機能付き超音波霧化装置２，２Ａを用いて芳香を放つ場合には、超音波霧化器１１によって芳香液を霧化し、シャボン玉生成器１２，１２Ａにより芳香液のミストＭ１を封入したシャボン玉Ｂ１を生成した後、そのシャボン玉Ｂ１を散布する。さらに、シャボン玉生成機能付き超音波霧化装置２，２Ａを用いて加湿を行う場合には、超音波霧化器１１によって水を霧化し、シャボン玉生成器１２，１２Ａにより水のミストＭ１を封入したシャボン玉Ｂ１を生成した後、そのシャボン玉Ｂ１を散布する。
【００６４】
・上記各実施の形態の超音波霧化器１１において、散布する液体の用途に応じてミストＭ１の粒径を調整する粒径調整機能を有するように構成してもよい。具体的には、超音波霧化器１１において、超音波発生器２３が出力する駆動信号の周波数を切り替え可能に構成し、超音波振動子２２から照射される超音波の周波数を切り換えることで、ミストＭ１の粒径を調整する。例えば、感染予防を行う場合、薬液Ｗ１のミストＭ１を５μｍ以下の粒径とすると、人の鼻や口から薬液Ｗ１を効率よく吸収させることができる。従って、感染予防を行う場合、超音波霧化器１１では、高周波の超音波を照射して粒径の小さなミストＭ１を発生させる。一方、加湿を行う場合には、感染予防の場合のようにミストＭ１を細かくする必要がない。特に、加湿を効率よく行うためにはミストＭ１の粒径を大きくした方が好ましい場合もある。従って、加湿する場合、超音波霧化器１１では、低周波の超音波を照射して粒径の大きなミストＭ１を発生させる。このようにすると、液体の用途に応じてミストＭ１を効率よく散布することができる。
【００６５】
・上記各実施の形態のシャボン玉生成機能付き超音波霧化装置２，２Ａでは、１つの超音波霧化器１１を備えるものであったが、複数の超音波霧化器を備え、それぞれの超音波霧化器において用途が異なる液体を霧化するように構成してもよい。具体的には、例えば、感染予防用の薬液を霧化する第１の超音波霧化器と、加湿用の水を霧化する第２の超音波霧化器を設け、それぞれ異なるタイミングで感染予防用の薬液または加湿用の水を霧化するようにシャボン玉生成機能付き超音波霧化装置を構成する。この場合、シャボン玉生成器１２，１２Ａ，１２Ｂでは、感染予防用の薬液または加湿用の水を霧化したミストＭ１がシャボン玉Ｂ１に封入された後、シャボン玉生成機能付き超音波霧化装置からシャボン玉Ｂ１が送出される。このようにシャボン玉生成機能付き超音波霧化装置を構成すると、例えば、加湿用のシャボン玉Ｂ１を散布して加湿を行った後、感染予防用のシャボン玉Ｂ１を散布して殺菌や防菌を行うことができる。さらに、消臭液や芳香液を霧化する第３の超音波霧化器を追加してシャボン玉生成機能付き超音波霧化装置を構成してもよい。この場合には、用途の異なる３種類のシャボン玉Ｂ１を散布することが可能となり、超音波霧化装置の多機能化を図ることができる。
【００６６】
・上記各実施の形態のシャボン玉生成器１２，１２Ａ，１２Ｂでは、送風機１３の風圧を利用してシャボン玉Ｂ１を生成するように構成されていたが、送風機１３とは別に設けた送風手段（送風ポンプなど）を用いてシャボン玉Ｂ１を生成してもよい。この場合、送風手段による適度な風圧でシャボン玉Ｂ１を効率よく生成することができる。さらに、送風機１３の比較的強い風圧によってシャボン玉Ｂ１を遠くの位置まで確実に飛ばすことができる。
【００６７】
・上記各実施の形態のシャボン玉生成機能付き超音波霧化装置２，２Ａでは、送出手段として送風機１３を用いたが、送風機１３以外に超音波を出力する超音波出力装置を送出手段として用いてもよい。この超音波出力装置を用いる場合でも、超音波の音圧によってシャボン玉Ｂ１を装置外部に送出することができ、ミストＭ１を効率よく散布することができる。
【００６８】
・上記各実施の形態の超音波霧化装置２，２Ａでは、送風機１３から送風される空気Ａ１を用いてシャボン玉Ｂ１を生成していたが、空気Ａ１よりも軽いヘリウムガスを利用してシャボン玉Ｂ１を生成するようにシャボン玉生成器を構成してもよい。この場合、シャボン玉Ｂ１をより高くかつ遠くの位置まで浮遊させることが可能となる。従って、例えば２階席や３階席がある比較的大きな劇場に超音波霧化装置２，２Ａを設置すると、それら２階席や３階席にもシャボン玉Ｂ１を届かせることが可能となる。さらに、外気よりも暖めた温風を使ってシャボン玉Ｂ１を生成するようにシャボン玉生成器を構成してもよい。この場合でも、シャボン玉Ｂ１が軽くなるので、より高くかつ遠くの位置までシャボン玉Ｂ１を浮遊させることが可能となり、薬液Ｗ１の散布をより確実に行うことができる。
【００６９】
次に、特許請求の範囲に記載された技術的思想のほかに、前述した各実施の形態によって把握される技術的思想を以下に列挙する。
【００７０】
（１）請求項１において、前記送出手段は、超音波を出力する超音波出力装置であり、前記超音波の音圧を利用して前記シャボン玉を送出することを特徴とするシャボン玉生成機能付き超音波霧化装置。
【００７１】
（２）請求項２において、前記シャボン玉生成手段は、シャボン玉液を貯留する貯留容器と、前記シャボン玉を生成するための複数の穴部を板状部材に貫通形成した構造を有し、前記シャボン玉液に対して前記複数の穴部が順次入出を繰り返すように、前記板状部材の一部が前記シャボン玉液に浸漬された状態で回転可能に設けられたシャボン玉生成体とを有し、前記送風機の風圧によって、前記シャボン玉生成体において前記シャボン玉液の液面よりも上方に位置する前記穴部に前記霧化液体を送り込むことで、前記穴部にて前記シャボン玉を膨らませるのと同時にその内部に前記霧化液体を封入することを特徴とするシャボン玉生成機能付き超音波霧化装置。
【００７２】
（３）技術的思想（２）において、前記シャボン玉生成体は、前記送風機の風圧によって回転力が得られるように形成された複数の羽根部を有し、前記複数の羽根部のそれぞれに前記複数の穴部が形成され、前記送風機の風圧によって、前記シャボン玉液の液面よりも上方に位置する前記羽部部の各穴部に前記霧化液体を送り込むことで、前記穴部にて前記シャボン玉を膨らませるのと同時にその内部に前記霧化液体を封入することを特徴とするシャボン玉生成機能付き超音波霧化装置。
【００７３】
（４）請求項２において、前記シャボン玉生成手段は、シャボン玉液を貯留する貯留容器と、前記シャボン玉を生成するための開口が先端部に形成されるとともに、前記シャボン玉液の浸透性を有する材料を用いて外壁面が形成され、毛細管現象により前記外壁面に沿って前記シャボン玉液を吸い上げて前記先端部に供給する複数の中空筒状部材とを有し、前記送風機の風圧によって、前記中空筒状部材の内側に前記霧化液体を送り込むことで、前記先端部の開口にて前記シャボン玉を膨らませるのと同時にその内部に前記霧化液体を封入することを特徴とするシャボン玉生成機能付き超音波霧化装置。
【００７４】
（５）請求項１乃至４のいずれかにおいて、前記霧化液体生成手段は、１ＭＨｚ以上の超音波を用いて、５μｍ以下の粒径を有する前記霧化液体を発生させる超音波霧化器であることを特徴とするシャボン玉生成機能付き超音波霧化装置。
【００７５】
（６）請求項１乃至４のいずれかにおいて、前記霧化液体生成手段として、第１の液体を霧化する第１の超音波霧化器と、前記第１の液体とは用途が異なる第２の液体を霧化する第２の超音波霧化器とを有し、前記シャボン玉生成手段は、前記第１の超音波霧化器及び前記第２の超音波霧化器においてそれぞれ異なるタイミングで霧化された各霧化液体を封入して前記シャボン玉を生成することを特徴とするシャボン玉生成機能付き超音波霧化装置。
【００７６】
（７）技術的思想（６）において、前記第１の超音波霧化器は、前記第２の超音波霧化器よりも高い周波数の超音波を前記第１の液体に照射することで、前記第２の液体の霧化液体よりも粒径が小さい霧化液体を発生させることを特徴とするシャボン玉生成機能付き超音波霧化装置。
【００７７】
（８）請求項１乃至４のいずれかにおいて、前記霧化液体生成手段は、前記液体の用途に応じて前記超音波の周波数を切り換え前記霧化液体の粒径の大きさを調整する粒径調整機能を有することを特徴とするシャボン玉生成機能付き超音波霧化装置。
【００７８】
（９）請求項１乃至４のいずれかにおいて、前記シャボン玉生成手段は、ヘリウムガスを利用して前記シャボン玉を生成することを特徴とするシャボン玉生成機能付き超音波霧化装置。
【００７９】
（１０）請求項１乃至４のいずれかにおいて、前記シャボン玉生成手段は、外気よりも空気を暖めた温風を使って前記シャボン玉を生成することを特徴とするシャボン玉生成機能付き超音波霧化装置。
【００８０】
（１１）請求項１乃至４のいずれかにおいて、前記シャボン玉生成手段は、プラスまたはマイナスの極性に帯電させた状態で前記シャボン玉を生成する機能を有し、前記霧化液体生成手段は、前記シャボン玉と同じ極性に帯電させた帯電霧化液体を発生させる機能を有することを特徴とするシャボン玉生成機能付き超音波霧化装置。
【００８１】
（１２）技術的思想（１１）に記載のシャボン玉生成機能付き超音波霧化液体散布装置と、前記帯電霧化液体及び前記シャボン玉の逆極性に帯電され、前記舞台演出の装飾の一部として設置される目標物とを備え、前記送風機は、前記シャボン玉を前記目標物に向けて送出することを特徴とする感染予防舞台演出システム。
【００８２】
（１３）請求項６において、前記演出装置は、音を出力するスピーカを含み、前記シャボン玉の送出方向と前記音の出力方向とを合わせた状態で前記スピーカが設置され、前記スピーカの音圧を利用して前記シャボン玉を送出することを特徴とする感染予防舞台演出システム。
【００８３】
（１４）請求項５において、前記霧化ステップでは、前記液体としての感染予防用の薬液を霧化し、前記散布ステップでは、前記薬液の霧化液体を封入した前記シャボン玉を送出して感染予防を行うことを特徴とする超音波霧化液体散布方法。
【００８４】
（１５）請求項５において、前記霧化ステップでは、前記液体としての消臭液を霧化し、前記散布ステップでは、前記消臭液の霧化液体を封入した前記シャボン玉を送出して消臭を行うことを特徴とする超音波霧化液体散布方法。
【００８５】
（１６）請求項５において、前記霧化ステップでは、前記液体としての芳香液を霧化し、前記散布ステップでは、前記芳香液の霧化液体を封入した前記シャボン玉を送出して芳香を放つことを特徴とする超音波霧化液体散布方法。
【００８６】
（１７）請求項５において、前記霧化ステップでは、前記液体としての水を霧化し、前記散布ステップでは、前記水の霧化液体を封入した前記シャボン玉を送出して加湿を行うことを特徴とする超音波霧化液体散布方法。
【符号の説明】
【００８７】
１…感染予防舞台演出システム
２，２Ａ…シャボン玉生成機能付き超音波霧化装置
３…演出装置
５…舞台
１１…霧化液体生成手段としての超音波霧化器
１２，１２Ａ，１２Ｂ…シャボン玉生成手段としてのシャボン玉生成器
１３…送出手段としての送風機
２５…貯留容器
２６…シャボン玉生成体
２８…穴部
２９…筒部材
Ｂ１…シャボン玉
Ｍ１…霧化液体としてのミスト
Ｗ１…液体としての感染予防用の薬液
Ｗ２…シャボン玉液
【図１】
2015096180.tif 000003
【図２】
2015096180.tif 000004
【図３】
2015096180.tif 000005
【図４】
2015096180.tif 000006
【図５】
2015096180.tif 000007
【図６】
2015096180.tif 000008
【図７】
2015096180.tif 000009
【図８】
2015096180.tif 000010
【図９】
2015096180.tif 000011
【図１０】
2015096180.tif 000012